(57)【要約】【課題】  引き出し及び収納可能な収納体に光源やスイッチを配置することなしに収納体の状態表示と収納体の出し入れのためのスイッチ操作を可能にし、収納体への配線を不要にした車両用収納体の自動出し入れ装置を提供する。【解決手段】  収納体１１にその前面板１２のプッシュ操作に連動して移動されるスイッチ操作部材６０を収納体１１の前後方向に移動可能に設け、このスイッチ操作部材６０により、ハウジング１０内に配設された前進指令信号出力用の第４スイッチ５４及び後退指令信号出力用の第２スイッチ５２を動作できる構成し、ハウジング１０内に収納体１１の状態表示用光源３０を配置し、ハウジング１０内に収納体１１の移動方向に延在して配置した第１導光部材４０１と収納体１１に配置した第２導光部材４０２とからなる導光手段４０により光源３０から発する光を前面板１２の表示窓１３に導くようにした。【選択図】  図３
2007216878.tif 000002
【特許請求の範囲】
【請求項１】
車両のインストルメントパネルに出し入れ可能に設けられた車両用収納体の自動出し入れ装置において、
前記インストルメントパネル内に該インストルメントパネルの奥行き方向に延在して装着され、かつ前記インストルメントパネルの前面に開放する開口を有するハウジングと、
前記ハウジング内に出し入れ可能に収納できるように該ハウジングの前後方向に移動可能に設けられた収納体と、
前記ハウジングの開口からハウジング外に臨むようにして前記収納体の前端に揺動可能に設けられた前面板と、
前記ハウジング内に装着され前記収納体を前記ハウジング内で前後方向に移動させる電動式駆動機構と、
前記ハウジング内に設けられ前記収納体が前記ハウジングの開口からハウジング外へ引き出された前進端に移動した時に動作して前進停止指令信号を出力する第１スイッチと、
前記ハウジング内に設けられ前進端に移動された前記収納体の前面板がプッシュ操作された時に動作して後退指令信号を出力する第２スイッチと、
前記ハウジング内に設けられ前記収納体が前記ハウジング内に収納された後退端に移動した時に動作して後退停止指令信号を出力する第３スイッチと、
前記ハウジング内に設けられ後退端に移動された前記収納体の前面板がプッシュ操作された時に動作して前進指令信号を出力する第４スイッチと、
前記収納体に該収納体の前後方向に移動可能に設けられ、前記収納体の前進端での前記前面板のプッシュ操作に連動して前記第２スイッチを動作させるとともに前記収納体の後退端での前記前面板のプッシュ操作に連動して前記第４スイッチを動作させるスイッチ操作部材と、
前記前面板に設けられた表示窓と、
前記ハウジング内に設けられ前記収納体の状態を表示する光源と、
前記光源が発する光を前記表示窓に導いて該表示窓を輝光させる導光手段と、
前記第１〜第４スイッチからの指令信号に基づいて前記電動式駆動機構及び前記光源を制御する制御装置とを備えることを特徴とする車両用収納体の自動出し入れ装置。
【請求項２】
前記制御装置は、前記第４スイッチから出力される前進指令信号に基づいて前記電動式駆動機構を前記収納体が前記ハウジング外へ引き出される前進方向に駆動制御するとともに前記収納体が前進端に達したことを前記第１スイッチが検出した時の前記前進停止指令信号に基づいて前記電動式駆動機構を停止制御する第１制御回路と、前記第２スイッチから出力される後退指令信号に基づいて前記電動式駆動機構を前記収納体が前記ハウジング内に収納される後退方向に駆動制御するとともに前記収納体が後退端に達したことを前記第３スイッチが検出した時の前記後退停止指令信号に基づいて前記電動式駆動機構を停止制御する第２制御回路と、前記第１スイッチ〜第４スイッチからの信号に基づいて前記光源を収納体の状態に応じて点灯・点滅または消灯制御する第３制御回路とを備えることを特徴とする請求項１記載の車両用収納体の自動出し入れ装置。
【請求項３】
前記導光手段は、一端が前記光源に対峙されるようにして前記ハウジング内に前記収納体の移動方向に延在して配設された第１導光部材と、前記収納体に配設され前記第１導光部材からの光を前記表示窓に導く第２導光部材を備え、前記第１導光部材は該第１導光部材の長手方向に沿って形成された光出射面と、該第１導光部材の一端から導入された前記光源からの光を前記光出射面に向けて反射する光反射面を有し、前記第２導光部材の一端は前記光出射面から出射する光を入射する光入射端として前記光出射面に対向配置され、前記第２導光部材の他端は光出射面として前記表示窓にその裏面から対向するように構成されていることを特徴とする請求項１記載の車両用収納体の自動出し入れ装置。
【請求項４】
前記スイッチ操作部材は、前記前面板のプッシュ操作に伴うスイッチ操作部材の前進運動を前記第２及び第４スイッチの操作力に変換して前記第２及び第４スイッチを動作させるとともに前記スイッチ操作部材及び前面板をプッシュ操作前の元位置に自動復帰させる機構を備えることを特徴とする請求項１記載の車両用収納体の自動出し入れ装置。
【請求項５】
前記電動式駆動機構は、前記ハウジング内に前記収納体の移動方向に延在して回転可能に設けられた送りネジ軸と、前記ハウジング内に設置され前記送りネジ軸を回転する小型電動モータと、前記送りネジ軸に螺合され該送りネジ軸の回転につれて該送りネジ軸の長手方向に移動されるナット部材とを備え、前記収納体は前記ナット部材に連結部材を介して係脱可能に連結されていることを特徴とする請求項１記載の車両用収納体の自動出し入れ装置。
【発明の詳細な説明】
【技術分野】
【０００１】
本発明は、自動車等の車両のインストルメントパネルに出し入れ可能に収納できる車両用収納体の自動出し入れ装置に関し、さらに詳しくは、収納体に電気的配線を施すことなく収納体の動作表示及び収納体の出し入れのためのスイッチ操作を可能にした車両用収納体の自動出し入れ装置に関するものである。
【背景技術】
【０００２】
従来、車両用収納体の自動出し入れ装置として、例えば飲み物を充填したカップやジュース缶などを保持するための車両用カップホルダーが知られている。この種の車両用カップホルダーは、操舵用ハンドルの右側に位置するインストルメントパネルの個所に引き出し式に出し入れ可能に装着され、このカップホルダーの不使用時はインストルメントパネル内に収納され、また、カップホルダーの使用時はインストルメントパネルから前方に突出する状態に引き出される構成になっている（例えば特許文献１参照）。
【特許文献１】特願２０００−１９９１４９
【発明の開示】
【発明が解決しようとする課題】
【０００３】
ところで、従来の車両用カップホルダーにおいては、カップ保持体を内蔵の電動式駆動機構により、自動的に引き出しまたは収納する方式のものが知られている。
このような電動式のカップホルダーでは、インストルメントパネルに引き出し可能に設けられたカップ保持体の前面板（鏡板）に、インストルメントパネル上でのカップホルダーの位置及びカップホルダーの動作状態を表示する表示ランプと、カップ保持体の出し入れ操作のための指令を与えるスイッチとをそれぞれ設け、スイッチをプッシュ操作することにより、カップ保持体を出し入れ可能に収容するハウジング内に設置された小型電動モータを正転または逆転方向に起動し、この小型電動モータの回転をラックとピニオン機構または送りねじ機構により直線運動に変換してカップ保持体に伝達し、これにより、カップ保持体を引き出し方向または収納方向に移動する。これと同時に、表示ランプを点灯または点滅制御してカップホルダーの動作状態を表示するようにしている。
【０００４】
上記のような従来の電動式カップホルダーでは、表示ランプ及びスイッチがカップ保持体の前面板に設けられ、かつ小型電動モータ及び表示ランプを制御する制御回路はハウジング内に設置されているため、これら表示ランプ及びスイッチと制御回路との間の電気信号の伝送には両者間を接続する複数のリード線が必要になる。このため、表示ランプ及びスイッチと制御回路との間をリード線で接続する場合、カップ保持体へのカップ等の収納が可能な状態にカップ保持体がハウジングから引き出されてもリード線がカップ保持体に干渉したり、またはリード線に必要以上の引張力がかからない長さに配線する必要がある。
このため、リード線がカップ保持体の出し入れ動作時にカップ保持体と干渉しない状態に配線されていても、リード線の一部はハウジングの内壁面などに常に接触した状態におかれ、特にカップ保持体がハウジング内に収納される時にはリード線に大きなたるみが生じる。このため、リード線のたるみ部分などがカップ保持体の出し入れ動作時にハウジングの内壁面などに繰り返し接触したり、擦れたりすることによってリード線が摩耗されたり、あるいはリード線が局部的に屈曲を繰り返すことにより、その屈曲部分から断線されてしまう問題がある。
また、リード線があると、カップ保持体をハウジングから引き抜くことが困難になり、カップ保持体の洗浄も困難になるという問題がある。
【０００５】
本発明は上記のような従来の問題を解決するためになされたもので、引き出し及び収納動作が可能な収納体に光源やスイッチを配置することなしに収納体の状態表示と収納体の出し入れのためのスイッチ操作を可能にするとともに収納体への配線を不要にした車両用収納体の自動出し入れ装置を提供することを目的とする。
【課題を解決するための手段】
【０００６】
上記の目的を達成するために本発明は、車両のインストルメントパネルに出し入れ可能に設けられた車両用収納体の自動出し入れ装置において、前記インストルメントパネル内に該インストルメントパネルの奥行き方向に延在して装着され、かつ前記インストルメントパネルの前面に開放する開口を有するハウジングと、前記ハウジング内に出し入れ可能に収納できるように該ハウジングの前後方向に移動可能に設けられた収納体と、前記ハウジングの開口からハウジング外に臨むようにして前記収納体の前端に揺動可能に設けられた前面板と、前記ハウジング内に装着され前記収納体を前記ハウジング内で前後方向に移動させる電動式駆動機構と、前記ハウジング内に設けられ前記収納体が前記ハウジングの開口からハウジング外へ引き出された前進端に移動した時に動作して前進停止指令信号を出力する第１スイッチと、前記ハウジング内に設けられ前進端に移動された前記収納体の前面板がプッシュ操作された時に動作して後退指令信号を出力する第２スイッチと、前記ハウジング内に設けられ前記収納体が前記ハウジング内に収納された後退端に移動した時に動作して後退停止指令信号を出力する第３スイッチと、前記ハウジング内に設けられ後退端に移動された前記収納体の前面板がプッシュ操作された時に動作して前進指令信号を出力する第４スイッチと、前記収納体に該収納体の前後方向に移動可能に設けられ、前記収納体の前進端での前記前面板のプッシュ操作に連動して前記第２スイッチを動作させるとともに前記収納体の後退端での前記前面板のプッシュ操作に連動して前記第４スイッチを動作させるスイッチ操作部材と、前記前面板に設けられた表示窓と、前記ハウジング内に設けられ前記収納体の状態を表示する光源と、前記光源が発する光を前記表示窓に導いて該表示窓を輝光させる導光手段と、前記第１〜第４スイッチからの指令信号に基づいて前記電動式駆動機構及び前記光源を制御する制御装置とを備えることを特徴とする。
【発明の効果】
【０００７】
本発明にかかる車両用収納体の自動出し入れ装置によれば、収納体にその前面板のプッシュ操作に連動して移動されるスイッチ操作部材を収納体の前後方向に移動可能に設け、このスイッチ操作部材により、ハウジング内に配設された前進指令信号出力用の第４スイッチ及び後退指令信号出力用の第２スイッチを動作できるように構成し、さらに、ハウジング内に光源から発する光を導光手段により、前面板に設けた表示窓に導いて該表示窓を輝光させるようにしたので、これらスイッチや光源を収納体に配置する必要がなくなり、かつ移動する収納体への配線も不要になる。これにより、保持体のハウジングからの引き抜き分離が簡便になり、収納体の洗浄を容易に行うことができる。
【発明を実施するための最良の形態】
【０００８】
本発明の実施の形態においては、インストルメントパネル内に該インストルメントパネルの奥行き方向に延在して装着されたハウジング内に収納体を出し入れ可能に収納できるようにハウジングの前後方向に移動可能に設け、この収納体にその前面板のプッシュ操作に連動して移動されるスイッチ操作部材を収納体の前後方向に移動可能に設け、このスイッチ操作部材により、ハウジング内に配設された前進指令信号出力用の第４スイッチ及び後退指令信号出力用の第２スイッチを動作できるように構成し、さらに、ハウジング内に設けた光源から発する光を導光手段により、前面板に設けた表示窓に導いて該表示窓を輝光させて収納体の状態を表示できるように構成する。これにより、上記の目的を達成できる。
【実施例１】
【０００９】
以下、本発明にかかる車両用収納体の自動出し入れ装置を車両用カップホルダーに適用した場合の実施例について、図面を参照して説明する。
図１は本発明にかかる車両用収納体の自動出し入れ装置を適用してなる車両用カップホルダーを装着したインストルメントパネル部分の説明用斜視図、図２は本実施例１における自動出し入れ装置付き車両用カップホルダーの外観を示す斜視図、図３は本実施例１における自動出し入れ装置付き車両用カップホルダーのカップ収納体をハウジング内に収納した状態を示す一部切欠きの平面図、図４は本実施例１における自動出し入れ装置付き車両用カップホルダーのカップ収納体をハウジング外に引き出した状態を示す一部切欠きの平面図、図５は本実施例１における自動出し入れ装置付き車両用カップホルダーを分解して示す斜視図、図６は本実施例１における自動出し入れ装置付き車両用カップホルダーのスイッチ操作機構部を示す説明用斜視図、図７は本実施例１の自動出し入れ装置付き車両用カップホルダーにおけるナット部材と連結部材との関係を示す説明図、図８は本実施例１の自動出し入れ装置付き車両用カップホルダーにおける表示窓と光源及び導光手段との関係を示す説明用平面図、図９は本実施例１における表示窓と光源及び導光手段との関係を示す説明図、図１０は本実施例１における収納体制御装置の機能ブロック図である。
【００１０】
図１において、１は自動車のインストルメントパネルであり、このインストルメントパネル１の中央箇所にはオーディオ・ビジュアルユニット２が装着され、また、インストルメントパネル１の右側箇所にはスピードメータその他のダッシュボード３が配設され、このダッシュボード３と対向する部分には、方向指示器等のハンドレバー４を備える操舵用ハンドル５が配設されている。また、インストルメントパネル１の右端箇所には、操舵用ハンドル５に近接して自動出し入れ装置付き車両用カップホルダー６が設けられている。
【００１１】
前記カップホルダー６は、図２〜図５に示すように、インストルメントパネル１内にインストルメントパネル１の奥行き方向に延在して装着される、前端面が開口された直方体形状のハウジング１０と、ハウジング１０内に出し入れ可能に収納される、下面が開放された直方体状の収納体１１とを備え、この収納体１１の前端には、前面板１２がハウジング１０の開口からハウジング１１外に臨むようにして支持部１１１により揺動可能に設けられている。また、この前面板１２には表示窓１３が形成され、この表示窓１３は透明部材により塞がれている。
また、収納体１１の左右外側壁には、図３〜図５に示すように、複数の突部１１２が収納体１１の前後方向に沿って一直線上に並べて突設されており、この左右の突部１１２をハウジング１０内の左右内側壁に前後方向に延在して設けた案内溝１０１に係合することにより、ハウジング１０の前後方向に移動可能に支持されている。
【００１２】
前記収納体１１をカップ保持体として機能させるため、収納体１１の天板１１ａには、図３〜図５に示すように、カップやジュース缶などが挿入される円形の開口１１３が形成され、また、天板１１ａの内側には、開口１１３に挿入されたカップやジュース缶などを底部側から支持する支持部材１４が上下方向に揺動可能に設けられており、さらに、天板１１ａの内側には、開口１１３に挿入されたカップやジュース缶などを周面から保持する保持アーム１５が上下方向に揺動可能に設けられている。
【００１３】
また、本実施例１の自動出し入れ装置付き車両用カップホルダーは、図３〜図５に示すように、電動式駆動機構２０、光源３０、導光手段４０、リミットスイッチなどからなる第１スイッチ５１〜第４スイッチ５４、スイッチ操作部材６０及び制御装置７０を備えている。
【００１４】
前記電動式駆動機構２０は収納体１１をハウジング１０外へ引き出された状態及びハウジング１０内に収納された状態に移動するもので、図３〜図５に示すように、ハウジング１０内の左右方向の中央に位置してハウジング１０内の後端寄りから前方に向け収納体１１の移動方向に延在するように配置され軸受部材２０１により両端を回転可能に軸支された送りネジ軸２０２と、ハウジング１１内に設置され送りネジ軸駆動用の小型電動モータ２０３と、小型電動モータ２０３の回転を送りネジ軸２０２に伝達する回転伝達機構２０４と、送りネジ軸２０２に螺合され送りネジ軸２０２の回転につれて送りネジ軸２０２の長手方向に移動されるナット部材２０５とから構成されている。また、収納体１１は、図３と図５及び図７に示すように、その後端に設けた連結部材１６によってナット部材２０５の係合溝２０５ａに係脱可能に連結されている。
また、前記回転伝達機構２０４は、図３〜図５に示すように、小型電動モータ２０３の回転軸に設けた駆動プーリ２０４ａ、送りネジ軸２０２に設けた従動プーリ２０４ｂと、駆動プーリ２０４ａと従動プーリ２０４ｂとの間に巻き掛けられたベルト２０４Ｃとか構成されている。
【００１５】
前記光源３０は収納体１１の状態を表示するためのもので、図３〜図５に示すように、収納体１１の移動に邪魔にならないハウジング１０内の後端寄りに位置して配設され、発光ダイオード等から構成される。
【００１６】
前記導光手段４０は光源３０が発する光を表示窓１３に導くためのもので、図３〜図５に示すように、一端が光源３０に対峙されるようにしてハウジング１０内に収納体１１の移動方向に延在して配設された第１導光部材４０１と、収納体１１の右側壁の内側と収納体１１の前端壁に沿って延在するように略Ｌ字状に成形され第１導光部材４０１からの光を表示窓１３に導く第２導光部材４０２とを備える。
第１導光部材４０１は、図３〜図５及び図８に示すように、第１導光部材４０１の長手方向に沿って形成された光出射面４０１ａと、第１導光部材４０１の一端４０１ｂから導入された光源３０からの光を光出射面に向けて反射する斜めの光反射面４０１ｃを有している。
【００１７】
また、第２導光部材４０２は、図８に示すように、第１導光部材４０１の光出射面４０１ａと対向する一端に光出射面４０１ａから出射する光を入射する光入射端４０２ａと、表示窓１３と相対向する他端に形成された光出射用反射面４０２ｂとを有し、光入射端４０２ａから入射された光は、第２導光部材４０２の屈曲角部に設けた反射面４０２ｃ，４０２ｄを介して光出射用反射面４０２ｂに導かれ、この光出射用反射面４０２ｂで反射される光によって表示窓１３を輝光できるように構成されている。
【００１８】
前記第１スイッチ５１は、図３〜図５に示すように、ハウジング１０内の前端寄りに設けられ、収納体１１がハウジング１０の開口からハウジング１０外へ引き出された前進端に移動した時に動作して前進停止指令信号Ｓ１を出力するものである。
前記第２スイッチ５２は、図３〜図５に示すように、ハウジング１０内の前端寄りに設けられ、前進端に移動された収納体１１の前面板１２がプッシュ操作された時に動作して後退指令信号Ｓ２を出力するものである。
前記第３スイッチ５３は、図３〜図５に示すように、ハウジング１０内の後端寄りに設けられ、収納体１１がハウジング１０内に収納された後退端に移動した時に動作して後退停止指令信号Ｓ３を出力するものである。
第４スイッチ５４は、図３〜図５に示すように、ハウジング１０内の後端寄りに設けられ、後退端に移動された収納体１１の前面板１２がプッシュ操作された時に動作して前進指令信号Ｓ４を出力するものである。
【００１９】
前記スイッチ操作部材６０は、収納体１１の前進端での前面板１２のプッシュ操作に連動して第２スイッチ５２を動作させるとともに収納体１１の後退端での前面板１２のプッシュ操作に連動して第４スイッチ５４を動作させるもので、図３〜図５に示すように、所定長さの角柱状を呈し、このスイッチ操作部材６０は収納体１１の左側壁の内側に収納体１１の前後方向に沿って形成した案内溝１１４内にその長手方向に移動可能に係合され、その一端は前面板１２の裏面に当接されている。
また、スイッチ操作部材６０の他端と対応する収納体１１の内側箇所には、図３〜図６に示すように、板ばね６０１により第２スイッチ５２及び第４スイッチ５４に対して離接方向に揺動可能に支持された第１カム６０２が配設され、スイッチ操作部材６０の他端にはカム６０２を第２スイッチ５２及び第４スイッチ５４に対して接近する方向に動作させる第２カム６０３が設けられている。前記板ばね６０１はスイッチ操作部材６０及び前面板１２をプッシュ操作前の元位置に自動復帰させる機能を備えている。
また、第１スイッチ５１及び第３スイッチ５３は、収納体１１が前進端または後退端に移動された時に電動式駆動機構２０のナット部材２０５が当接することによりオン動作される構成になっている。
【００２０】
前記制御装置７０は収納体１１が引き出し状態及び収納状態になるように電動式駆動機構２０を駆動制御するとともに光源３０を収納体１１の状態に応じて点灯・点滅または消灯制御するものであり、図１０に示すように、第４スイッチ５４から出力される前進指令信号Ｓ４に基づいて電動式駆動機構２０を収納体１１がハウジング１０外へ引き出される前進方向に駆動制御するとともに収納体１１が前進端に達したことを第１スイッチが検出した時の前進停止指令信号Ｓ１に基づいて電動式駆動機構２０を停止制御する第１制御回路７０１と、第２スイッチ５２から出力される後退指令信号Ｓ２に基づいて電動式駆動機構２０を収納体１１がハウジング１０内に収納される後退方向に駆動制御するとともに収納体１１が後退端に達したことを第３スイッチ５３が検出した時の前記後退停止指令信号Ｓ３に基づいて電動式駆動機構２０を停止制御する第２制御回路７０２と、第１スイッチ５１〜第４スイッチ５４からの信号に基づいて光源３０を収納体１１の状態に応じて点灯／点滅または消灯制御する第３制御回路７０３を備えている。
【００２１】
次に、本実施例１における自動出し入れ装置付き車両用カップホルダーの動作について説明する。
まず、図３に示すように、ハウジング１０内に収納されている収納体１１をハウジング１０から前進端まで引き出す場合の動作について述べる。この場合、図３及び図６(Ａ)に示すように、スイッチ操作部材６０の第１カム６０２は第４スイッチ５４に対向されている。
かかる状態において、収納体１１の前端板１２が運転者等の指先などによりプッシュ操作されると、前端板１２がプッシュ方向に揺動されるため、これに連動してスイッチ操作部材６０が図６(Ｂ)に示す矢印Ａに移動し、同時に第２カム６０３も同一方向に移動する。これに伴い、第２カム６０３と係合している第１カム６０２が板ばね６０１に抗し図６(Ｂ)の矢印Ｂ方向に移動して第４スイッチ５４をオン動作させる。これにより、第４スイッチ５４から前進指令信号Ｓ４が出力され、第１制御回路７０１に入力される。
【００２２】
第１制御回路７０１では、前進指令信号Ｓ４に基づいて電動式駆動機構２０の小型駆動モータ２０３を正転方向に起動する。これにより、小型駆動モータ２０３の回転は回転伝達機構２０４を介して送りネジ軸２０２に伝達され、送りネジ軸２０２の回転につれてナット部材２０５を図３の矢印Ｘ１方向に移動させる。ナット部材２０５が矢印Ｘ１方向に移動され始めると、このナット部材２０５に連結部材１６を介して連結された収納体１１がハウジング１０外へ引き出され始める。そして、収納体１１が図４に示す前進端に達する状態になると、ナット部材２０５が第１スイッチ５０１に当接し、これのオン動作により出力される前進停止指令信号Ｓ１を第１制御回路７０１に入力する。第１制御回路７０１では、前進停止指令信号に基づいて小型駆動モータ２０３を停止制御する。これにより、収納体１１は図４に示す前進端に停止され、収納体１１をカップやジュース缶などが収納され得る状態に保持する。
【００２３】
一方、第４スイッチ５４からの前進指令信号Ｓ４が第３制御回路７０３に入力されると、この第３制御回路７０３は光源３０を前進指令信号Ｓ４に基づいて点灯または点滅制御する。この光源３０から発する光は、図８に示すように、第１導光部材４０１と第２導光部材４０２によって表示窓１３に導かれ、この表示窓１３を輝光させることにより、収納体１１がハウジング１０から引き出される動作状態あることを表示する。この場合、第２導光部材４０２の光入射端４０２ａは、収納体１１の移動距離の全長に亘り、第１導光部材４０１の光出射面４０１ａと相対向されているため、収納体１１が図９(Ａ)に示す収納位置（後退端）から図９(Ｂ)に示す引き出し位置（前進端）までの何れに位置にあっても、光源３０からの光は表示窓１３に導かれ、収納体１１の状態を表示できる。
また、収納体１１がハウジング１０から引き出されて前進端に達することで第１スイッチ５０１から出力される前進停止指令信号Ｓ１が第３制御回路７０３に入力されると、第３制御回路７０３は光源３０を消灯制御し、収納体１１が前進端に完全に引き出されたことを知らせる。
【００２４】
次に、図４に示すように、ハウジング１０から引き出されている収納体１１をハウジング１０内に収納する場合の動作について述べる。この場合、図４及び図６(Ａ)に示すように、スイッチ操作部材６０の第１カム６０２は第２スイッチ５２に対向されている。
かかる状態において、収納体１１の前端板１２が運転者等の指先などによりプッシュ操作されると、前端板１２がプッシュ方向に揺動されるため、これに連動してスイッチ操作部材６０が図６(Ｂ)に示す矢印Ａに移動し、同時に、第２カム６０３も同一方向に移動する。これに伴い、第２カム６０３と係合している第１カム６０２が板ばね６０１に抗し図６(Ｂ)の矢印Ｂ方向に移動して第２スイッチ５２をオン動作させる。これにより、第２スイッチ５２から後退指令信号Ｓ２が出力され、第２制御回路７０２に入力される。
【００２５】
第２制御回路７０２では、後退指令信号Ｓ２に基づいて電動式駆動機構２０の小型駆動モータ２０３を逆転方向に起動する。これにより、小型駆動モータ２０３の回転は回転伝達機構２０４を介して送りネジ軸２０２に伝達され、送りネジ軸２０２の回転につれてナット部材２０５を図４の矢印Ｘ２方向に移動させる。ナット部材２０５が矢印Ｘ２方向に移動され始めると、このナット部材２０５に連結部材１６を介して連結された収納体１１がハウジング１０内に収納され始める。そして、収納体１１が図３に示す後退端に達する状態になると、ナット部材２０５が第３スイッチ５０３に当接し、これのオン動作により出力される後退停止指令信号Ｓ３を第２制御回路７０２に入力する。第２制御回路７０２では、後退停止指令信号Ｓ３に基づいて小型駆動モータ２０３を停止制御する。これにより、収納体１１は図３に示す後退端に停止され、ハウジング１０内に完全に収納されることになる。
【００２６】
一方、第２スイッチ５２からの後退指令信号Ｓ２が第３制御回路７０３に入力されると、この第３制御回路７０３は光源３０を後退指令信号Ｓ２に基づいて点灯または点滅制御する。この光源３０から発する光は、第１導光部材４０１と第２導光部材４０２によって表示窓１３に導かれ、この表示窓１３を輝光させることにより、収納体１１がハウジング１０に収納される動作状態あることを表示する。この場合、第２導光部材４０２の光入射端４０２ａは、収納体１１の移動距離の全長に亘り、第１導光部材４０１の光出射面４０１ａと相対向されているため、収納体１１が図９(Ｂ)に示す引き出し位置（前進端）から図９(Ａ)に示す収納位置（後退端）までの何れに位置にあっても、光源３０からの光は表示窓１３に導かれ、収納体１１の状態を表示できる。
また、収納体１１がハウジング１０に収納されて後退端に達することで第３スイッチ５０３から出力される後退停止指令信号Ｓ３が第３制御回路７０３に入力されると、第３制御回路７０３は光源３０を消灯制御し、収納体１１がハウジング１０内に完全に収納されたことを知らせる。
【００２７】
このような本実施例１に示す自動出し入れ装置付き車両用カップホルダーによれば、収納体１１にその前面板１２のプッシュ操作に連動して移動されるスイッチ操作部材６０を収納体１１の前後方向に移動可能に設け、このスイッチ操作部材６０により、ハウジング１０内に配設された前進指令信号出力用の第４スイッチ５４及び後退指令信号出力用の第２スイッチ５２を動作できるように構成し、ハウジング１０内に収納体１１の状態表示用光源３０を配置し、さらに、ハウジング１０内に収納体１１の移動方向に延在して配置した第１導光部材４０１と収納体１１に配置した第２導光部材４０２とからなる導光手段４０により光源３０から発する光を前面板１２の表示窓１３に導いて表示窓１３を輝光させるようにしたので、これらスイッチ５２，５４や光源３０を収納体１１に配置する必要がなくなり、かつ移動する収納体１１への配線も不要になる。これにより、収納体１１のハウジング１０からの引き抜き分離が簡便にでき、収納体１１の洗浄及び清掃を容易に行うことができる。
【００２８】
また、本実施例１によれば、導光手段４０を用いて収納体１１の状態を表す光源３０の状態を導光手段４０により前面板１２の表示窓１３に表示できるようにしたので、収納体１１が収納位置（後退端）から引き出し位置（前進端）までの何れに位置にある場合でも配線なしで光源３０による照明効果を発揮することができる。
また、本実施例１によれば、第１スイッチ５１〜第４スイッチ５４から出力される指令信号Ｓ１〜Ｓ４を基づいて制御装置７０により進行電動式駆動機構２０を制御するようにしたので、収納体１１の引き出し及び収納を自動的に行うことができる。
【００２９】
なお、本発明における車両用収納体の自動出し入れ装置は、上記実施例１に示す車両用カップホルダーに限らず、車両用のアッシュトレイや小物入れまたはコインボックスなどにも適用することができる。
また、本発明の電動式駆動機構２０は、上記実施例１に送りネジ軸２０２及びこれに螺合するナット部材２０５から構成されるものに限らず、ラックとピニオンで構成される方式のもでもよい。
【図面の簡単な説明】
【００３０】
【図１】本発明にかかる車両用収納体の自動出し入れ装置を適用してなる車両用カップホルダーを装着したインストルメントパネル部分の説明用斜視図である。
【図２】本実施例１における自動出し入れ装置付き車両用カップホルダーの外観を示す斜視図である。
【図３】本実施例１における自動出し入れ装置付き車両用カップホルダーのカップ収納体をハウジング内に収納した状態を示す一部切欠きの平面図である。
【図４】本実施例１における自動出し入れ装置付き車両用カップホルダーのカップ収納体をハウジング外に引き出した状態を示す一部切欠きの平面図である。
【図５】本実施例１における自動出し入れ装置付き車両用カップホルダーを分解して示す斜視図である。
【図６】本実施例１における自動出し入れ装置付き車両用カップホルダーのスイッチ操作機構部を示す説明用斜視図である。
【図７】本実施例１の自動出し入れ装置付き車両用カップホルダーにおけるナット部材と連結部材との関係を示す説明図である。
【図８】本実施例１の自動出し入れ装置付き車両用カップホルダーにおける表示窓と光源及び導光手段との関係を示す説明用平面図である。
【図９】本実施例１における表示窓と光源及び導光手段との関係を示す説明図である。
【図１０】本実施例１における収納体制御装置の機能ブロック図である。
【符号の説明】
【００３１】
１        インストルメントパネル
６        カップホルダー
１０      ハウジング
１１      収納体
１２      前面板
１３      表示窓
２０      電動式駆動機構
３０      光源
４０      導光手段
４０１    第１導光部材
４０１ａ  光出射面
４０１ｃ  光反射面
４０２    第２導光部材
４０２ａ  光入射端
４０２ｂ  光出射用反射面
５１      第１スイッチ
５２      第２スイッチ
５３      第３スイッチ
５４      第４スイッチ
６０      スイッチ操作部材
７０      制御装置
７０１    第１制御回路
７０２    第２制御回路
７０３    第３制御回路
【図１】
2007216878.tif 000003
【図２】
2007216878.tif 000004
【図３】
2007216878.tif 000005
【図４】
2007216878.tif 000006
【図５】
2007216878.tif 000007
【図６】
2007216878.tif 000008
【図７】
2007216878.tif 000009
【図８】
2007216878.tif 000010
【図９】
2007216878.tif 000011
【図１０】
2007216878.tif 000012